(57)【要約】      （修正有）【課題】撮像レンズ用の窓部の下部が撮像レンズの光軸に垂直な平面に対し傾斜している撮像装置においてもレンズバリヤを円滑にスライドすることのできる撮像装置を提供する。【解決手段】撮像装置は、撮像レンズ用の窓部７の下部が撮像レンズの光軸に垂直な平面に対し傾斜する傾斜面を有し、該傾斜面の内面に沿わせてスライドさせることにより上記窓部７を開閉するレンズバリヤ１２を備えている。レンズバリヤ１２は、略四角形のバリヤ主部２１と、該バリヤ主部２１のバリヤスライド方向の一側部と他側部にそれぞれバリヤスライド方向と略直交する方向に延びる複数の横軸２２〜２５と、を備えている。上記横軸２２〜２５は、上記傾斜面の内面に設けた傾斜状のレール溝に挿入され、これらレール溝内を移動する。【選択図】図１１
2008158370.tif 000002
【特許請求の範囲】
【請求項１】
撮像レンズ用の窓部の下部が撮像レンズの光軸に垂直な平面に対し傾斜する傾斜面を有し、該傾斜面に沿わせてレンズバリヤをスライドさせて上記窓部を開閉する撮像装置において、
上記レンズバリヤは、略四角形のバリヤ主部と、該バリヤ主部のバリヤスライド方向の一側部と他側部にそれぞれバリヤスライド方向と略直交する方向に延びる２本の横軸と、で形成し、上記横軸を上記傾斜面に沿って設けた傾斜状の一対のレール溝に挿入したことを特徴とする撮像装置。
【請求項２】
上記横軸は、上記バリヤ主部の略四隅部に形成されていることを特徴とする請求項１に記載の撮像装置。
【請求項３】
上記一対のレール溝は、長さ方向に複数段に傾斜角度が変えられていていることを特徴とする請求項１に記載の撮像装置。
【請求項４】
上記一対のレール溝は、長さ方向の略中央部で傾斜角度が変えられていて、上記撮像レンズ用の窓部に近い上段側よりも下段側の傾斜角度が大になっていることを特徴とする請求項３に記載の撮像装置。
【請求項５】
上記上段側のレール溝は、略１°傾斜角度に形成され、下段側のレール溝は、略３°傾斜角度に形成されていることを特徴とする請求項４に記載の撮像装置。
【発明の詳細な説明】
【技術分野】
【０００１】
本発明は、撮像レンズを保護するレンズバリヤを内蔵した撮像装置に関する。
【背景技術】
【０００２】
撮像レンズを保護するレンズバリヤを内蔵した撮像装置として、図２５に示すものが知られている。この撮像装置１０１は、撮像レンズ用の窓部１０２をレンズバリヤ１０３で閉塞することにより撮像レンズを保護する。
【０００３】
図２６に示すように、レンズバリヤ１０３は、撮像装置１０１の筐体１０４の内面に重ね合わされていて、筐体１０４の内面に沿って移動するようになっている。レンズバリヤ１０３は、カム板１０５によって駆動される。（例えば、特許文献１参照）。
【特許文献１】特開２００５−７７５７４号公報
【発明の開示】
【発明が解決しようとする課題】
【０００４】
ところで、上記従来の撮像装置１０１は、レンズバリヤ１０３を筐体１０４の内面に重ね合わせた状態でスライドさせて、窓部１０２を開閉する構成になっていたために、図２７に示すように、上記筐体１０４の内面１０４ａが撮像レンズの光軸ＯＡに垂直な平面である場合にはレンズバリヤ１０３をスライドさせるのに問題はないが、図２８に示すように、上記筐体１０４の内面１０４ａが撮像レンズの光軸ＯＡに垂直な平面に対して傾斜面或いは湾曲面ＶＳになっている撮像装置には適用し難いという問題点があった。上記筐体１０４の内面１０４ａが傾斜面或いは湾曲面になっている撮像装置において、上記筐体１０４の内面１０４ａに沿って、レンズバリヤ１０３をスライドさせるためには、上記筐体１０４の内面１０４ａの内面に沿って、レンズバリヤ１０３を傾斜或いは湾曲させなければならないからである。
【０００５】
撮像装置１０１には、記録媒体としてビデオテープの外にディスク状記録媒体を使用するものがあり、ディスク状記録媒体を使用する撮像装置１０１においては、デザイン的にも機能的にも、窓部１０２の下部を傾斜面や湾曲面にすることが望まれることが多い。
【０００６】
本発明の目的は、撮像レンズ用の窓部の下部が撮像レンズの光軸に垂直な平面に対し傾斜している撮像装置においてもレンズバリヤを円滑にスライドすることのできる撮像装置を提供することにある。
【課題を解決するための手段】
【０００７】
本発明は、撮像レンズ用の窓部の下部が撮像レンズの光軸に垂直な平面に対し傾斜する傾斜面を有し、該傾斜面の内面に沿わせてレンズバリヤをスライドさせて上記窓部を開閉する撮像装置において、
上記レンズバリヤは、略四角形のバリヤ主部と、該バリヤ主部のバリヤスライド方向の一側部と他側部にそれぞれバリヤスライド方向と略直交する方向に延びる複数の横軸と、で形成し、上記横軸を上記傾斜面の内面に設けた傾斜状のレール溝に挿入して、該レール溝に沿ってレンズバリヤをスライドさせる構成にした。
【発明の効果】
【０００８】
バリヤ主部のバリヤスライド方向の一側部と他側部にそれぞれ形成された複数の軸部は、互いに間隔をもって、レール部に接触しているので、撮像レンズ用の窓部の下部が傾斜面になっている場合でも、上記軸部は、レール溝に沿って円滑にスライド移動する。
【発明を実施するための最良の形態】
【０００９】
図１は撮像装置１の斜視図である。撮像装置１は、ビデオテープやディスクを記録媒体とするデジタルビデオカメラとして構成されている。（以下、撮像装置１をビデオカメラと総称する）。
【００１０】
上記ビデオカメラ１の一側面側には記録媒体収納部２が設けられていると共にグリップベルト３が取り付けられる。また、他前面側にはビューファインダ４と液晶等のモニタパネル（図示省略）が配置されている。また、上面側には電源ボタン５や集音マイク６等が配置され、前面側には撮像レンズ用の窓部７が配置されていて、該窓部７の下部の外面は、円弧状の傾斜面８になっている。上記窓部７および傾斜面８は、ビデオカメラ１のフロント筐体９に設けられている。上記フロント筐体９の一側部には、レバー組付部１０が設けられていて、該レバー組付部１０にバリヤ操作レバー１１が上下方向にスライド可能に組み付けられている。上記フロント筐体９の窓部７の下部外面を円弧状の傾斜面８に形成したのは、記録媒体収納部２に収納される記録媒体としてのディスクの形状に合わせてビデオカメラ１を小型化するため、或いは、デザイン性等を考慮したものである。上記フロント筐体９の内面も上記外面と同様の傾斜面になっている。
【００１１】
図２は上記フロント筐体９をカメラ本体側から取り外して背面側から見た斜視図である。上記フロント筐体９の内面には上記レンズバリヤ１２がスライド可能に配置されていると共に、該レンズバリヤ１２を挟むようにして第１の裏当板１３が配置されている。上記レンズバリヤ１２は、上記バリヤ操作レバー１１を操作することによって、上記バリヤ操作レバー１０の背面側に設けたリンク操作部１４およびリンク１５を介して上下方向にスライドする。上記バリヤ操作レバー１１をレバー組付部１０の上端側に押し上げた状態において、上記レンズバリヤ１２は、上記窓部７を閉じ、上記バリヤ操作レバー１１をレバー組付部１０の下端側に押し下げた状態において、上記窓部７を開く。
【００１２】
上記第１の裏当板１３の背面には、第２の裏当板１６が重ね合わされて上記リンク１５やバリヤ操作部１４が脱落するのを防止する。また、第２の裏当板１６の背面にはトグルバネ１７が配置されていて、該トグルバネ１７によって、上記レンズバリヤ１２を閉じた状態或いは開いた状態に維持する。また、第２の裏当板１６の背面には第３の裏当板１８が配置されていて、該第３の裏当板１８と上記第２の裏当板１６の間に上記トグルバネ１７が挟まれた状態で配置される。上記トグルバネ１７は、一端部１７ａが次に説明するレンズバリヤ１２のリンク係合突起２６に係止され、他端部１７ｂが上記第３の裏当板１８に設けたバネ係止部６７に係止される。
【００１３】
次に、レンズバリヤ１２について説明する。図３に示すように、レンズバリヤ１２は、略四角形のバリヤ主部２１と、該バリヤ主部２１のバリヤスライド方向Ａ−Ｂに沿う一側部２１ａから上記バリヤスライド方向Ａ−Ｂと略直交する方向Ｃ−Ｄに延びる第１，第２の横軸２２，２３と、バリヤ主部２１のバリヤスライド方向Ａ−Ｂに沿う他側部２１ｂから上記バリヤスライド方向Ａ−Ｂと略直交する方向Ｃ−Ｄに延びると第３，第４の横軸２４，２５と、上記バリヤ主部２１のバリヤスライド方向Ａ−Ｂと略直交する方向Ｃ−Ｄの下端側の側面部２１ｃから突出させて形成したリンク係合突起２６と、を備えている。また、上記バリヤ主部２１の撮像レンズと対向する面には、上記レンズとの接触を避けるための凹部２７が形成されている。
【００１４】
上記第１，第２の横軸２２，２３は、上記バリヤ主部２１の一側部２１ａの両端部に、最大限離された状態で形成されている。また、上記第３，第４の横軸２４，２５も、上記第１，第２の横軸２３，２４と同様に、上記バリヤ主部２１の他側部２１ｂの両端部に形成されている。
【００１５】
上記レンズバリヤ１２は、次に詳しく説明するフロント筐体９の内面に組み付けたときに、上記第１，第２の横軸２２，２３が上記フロント筐体９の内面に設けた第１のレール状突起３２に接触し、上記第３，第４の横軸２４，２５が上記フロント筐体９の内面に設けた第２のレール部３３に接触して、上記バリヤ主部２１を上記フロント筐体９の内面に対して非接触状態に保持する。
【００１６】
図４に示すように、フロント筐体９の内面９ａには、上記レンズバリヤ１２を収容する略四角形の枠部３１が設けられている。上記枠部３１の両側部には、上記窓部７を挟んで第１，第２のレール状突起３２，３３が設けられている。
【００１７】
図５，図６に示すように、上記第１，第２のレール状突起３２，３３は、フロント筐体９の内面９ａから突出した状態に形成されている。
【００１８】
図７，図８に示すように、上記フロント筐体９の枠部３１に上記レンズバリヤ１２を挿入すると、第１，第２の横軸２２，２３が第１のレール状突起３２に載置され、第３，第４の横軸２４，２５が第２のレール状突起３３に載置される。
【００１９】
上記フロント筐体９の枠部３１に上記レンズバリヤ１２を挿入したのち、図９に示すように、上記フロント筐体９の内面に第１の裏当板１３を重ね合わせる。第１の裏当板１３の外面には、レンズバリヤ１２に設けたリンク結合突起２６を突出させる長孔４６が設けられていると共に、上記リンク１５を回動可能に取り付けるリンク取付軸４７が設けられている。また、図１０，図１１の断面図に示すように、上記第１の裏当板１３の内面には、上記第１のレール状突起３２と対向する位置に第３のレール状突起４１が設けられていて、上記第１のレール状突起３２と第３のレール状突起４１との間に上記第１，第２の横軸２２，２３を挿入する第１のレール溝４２が形成されると共に、上記第２のレール状突起３３と対向する位置に第４のレール状突起４３が設けられていて、上記第２のレール状突起３３と第４のレール状突起４３との間に上記第３，第４の横軸２４，２５を挿入する第２のレール溝４４が形成される。上記第３のレール状突起４１と第４のレール突起４３の間は、レンズバリヤ１２と非接触状態を保つように凹部４５になっている。
【００２０】
上記レンズバリヤ１２は、第１，第２の横軸２２，２３を第１のレール溝４２に挿入し、第３，第４の横軸２４，２５を第２のレール溝４４に挿入することにより、フロント筐体９と第１の裏当板１３の間にスライド可能に取り付けられていて、バリヤ主部２１が上記フロント筐体９および第１の裏当板１３と非接触状態を保ちつつフロント筐体９および第１の裏当板１３の間をスライドする。
【００２１】
図１２の模式図に示すように、上記第１，第２のレール溝４２，４４は、略上半部４２ａ，４４ａが撮像レンズの光軸ＯＡに垂直な平面ＶＳに対する傾斜角度θ１が略1°に形成され、略下半部４２ｂ，４４ｂが撮像レンズの光軸ＯＡに垂直な平面ＶＳに対する傾斜角度θ２が略３°に形成されている。
【００２２】
第１の裏当板１３を取り付けた後に、図１３に示すように、リンク１５を取り付ける。リンク１５は、一端部に設けた軸受孔５１に上記リンク取付軸４７を挿入することにより、第１の裏当板１３に回動可能に取り付けられている。上記リンク１５の他端部には長孔５２が設けられていて、該長孔５２に上記リンク結合突起２６が挿入されている。そして、上記リンク取付軸４７を中心にしてリンク１５を回動させることにより上記レンズバリヤ１２を上下方向にスライドさせる。上記リンク１５の軸受孔５１と長孔５２の間には、次に説明するリンク操作部１４に係合する突起５３が設けられている。上記突起５３は、軸受孔５１と長孔５２の中間位置よりも軸受孔５１に近い位置に設けられていて、上記リンク操作部１４乃至バリヤ操作レバー１１の少ない移動量で上記レンズバリヤ１２の移動量を大きくすることが可能になっている。
【００２３】
次に、図１４に示すように、リンク操作部１４を組付ける。上記リンク操作部１４は、図２に示すように、バリヤ操作レバー１１の背面側に連結部６１を介してバリヤ操作レバー１１と一体的に形成されている。上記リンク操作部１４は、上記バリヤ操作レバー１１との間で上記操作レバー組付部１０を挟むようにして、該操作レバー組付部１０の背面に組み付けられていて、上記バリヤ操作レバー１１と一緒にスライドする。
【００２４】
上記リンク操作部１４は、長孔６２を備えていて、該長孔６２に上記リンク１５の突起５３を挿入することにより上記リンク１５に連繋されている。上記リンク操作部１４は、上記バリヤ操作レバー１１のスライドによって、上記リンク１５を回動させて、上記レンズバリヤ１２を上下方向にスライドさせる。
【００２５】
次に、図１５に示すように、上記第１の裏当板１３の外面に第２の裏当板１６を取り付けて、上記リンク１５やリンク操作部１４の脱落を防止する。図２に示すように、上記第２の裏当板１６は、上記第１の裏当板１３と同様にレンズバリヤ１２に設けたリンク結合突起２６を突出させる長孔６５と、上記リンク操作部１４をスライド可能に収納している切欠窓６６と、を備えているとともに、バネ係止部６７を備えている。
【００２６】
次に、図１６に示すように、トグルバネ１７を組付ける。トグルバネ１７は、一端部１７ａが上記バネ係止部６７に係止され、他端部１７ｂが上記リンク結合突起２６に係止されている。上記トグルバネ１７は、上記レンズバリヤ１２が上記窓部７の中間位置を超えて上記窓部７を開く位置に移動して来たときに、上記レンズバリヤ１２を開く方向に付勢する。また、上記レンズバリヤ１２が中間位置を超えて上記窓部７を閉じる位置に移動して来たときに、上記レンズバリヤ１２を閉じる方向に付勢する。
【００２７】
次に、図１７に示すように、上記第２の裏当板１６の外面に第３の裏当板１８を取り付けて、上記トグルバネ１７の脱落を防止する。
【００２８】
次に、実施例の撮像装置１の作用について説明する。図１８に示すように、バリヤ操作レバー１１を操作レバー組付部１０の上端側に移動させると、図１９に示すように、レンズバリヤ１２は、リンク１５によって窓部７を閉じる位置に移動する。そして、図１７に示すように、レンズバリヤ１１は、トグルバネ１７によって窓部７を閉じた状態に維持される。
【００２９】
図２０に示すように、バリヤ操作レバー１１を操作レバー組付部１０の下端側に移動させると、図２１に示すように、レンズバリヤ１２は、リンク１５によって窓部７を開く位置に移動する。そして、図２２に示すように、レンズバリヤ１２は、トグルバネ１７によって窓部７を閉じた状態に維持される。
【００３０】
上記レンズバリヤ１２が窓部７を閉じている状態においては、図２３Ａに示すように、レンズバリヤ１２の第１，第３の横軸２２，２４は、第１，第２のレール溝４２，４４の上端部に位置し、第２，第４の横軸２３，２５は、第１，第２のレール溝４２，４４の略中央部に位置して、レンズバリヤ１２は、撮像レンズの光軸ＯＡに垂直な平面ＶＳに対して略1°の傾斜角度で傾斜した状態になっている。この状態からバリヤ操作レバー１１を押し下げると、レンズバリヤ１２は、第１，第２のレール溝４２，４４に沿って下降し、窓部７を半開き状態にする、図２３Ｂに示す中間位置においては、レンズバリヤ１２は、撮像レンズの光軸ＯＡに垂直な平面ＶＳに対して略２°の傾斜角度で傾斜した状態になる。更にバリヤ操作レバー１１を押し下げると、図２３Ｃに示すように、レンズバリヤ１２の第１，第３の横軸２２，２４は、第１，第２のレール溝４２，４４の略中央部に位置し、第２，第４の横軸２３，２５は、第１，第２のレール溝４２，４４の下端部に位置して、窓部７を全開した状態になる。この全開位置において、レンズバリヤ１２は、撮像レンズの光軸ＯＡに垂直な平面ＶＳに対して略３°の傾斜角度で傾斜した状態になる。そして、図２３Ａ〜図２３Ｃに至る全ての段階で、レンズバリヤ１２のバリア主部２１とフロント筐体９および第１の裏当板１３とは、常に非接触状態に保たれて、レンズバリヤ１２は、第１，第２のレール溝４２，４４に沿って円滑に移動する。
【００３１】
図２４は、他の実施例の模式図を示す。この実施例においては、第１，第２のレール溝４２，４４の略上半部を撮像レンズの光軸ＯＡに垂直な平面ＶＳに対して平行に形成し、略下半部を略２°の傾斜角度で傾斜させた場合を示す。この実施例は、レンズバリヤ１２が窓部７を閉じている状態において、レンズバリヤ１２は、垂直になっているので、窓部７に対して密閉性を向上させることが容易になる。また、上記実施例では、第１，第２のレール溝４２，４４の略上半部を撮像レンズの光軸ＯＡに垂直な平面ＶＳに対して所定の角度で傾斜させる場合を示したが、第１，第２のレール溝４２，４４を湾曲させてもよい。また、第１，第２のレール溝４２，４４の傾斜角度は、レンズバリヤ１２を円滑にスライドさせることができれば３°以上であってもよい。また、実施例では、レール溝４２，４４を上半部と下半部の２段に傾斜角度を変える場合を示したが、３段以上に傾斜角度を変える構成にしてもよい。
【図面の簡単な説明】
【００３２】
【図１】撮像装置の斜視図。
【図２】フロント筐体を取り外して背面側から見た斜視図。
【図３】レンズバリヤの斜視図。
【図４】フロント筐体の背面図。
【図５】図４のＡ−Ａ断面図。
【図６】図４のＢ−Ｂ断面図。
【図７】フロント筐体上にレンズバリヤを重ね合わせた状態の平面図。
【図８】図７のＡ−Ａ断面図。
【図９】レンズバリヤ上に第１の裏当板を重ね合わせた状態の平面図。
【図１０】図９のＡ−Ａ断面図。
【図１１】図９のＢ−Ｂ断面図。
【図１２】レール溝の傾斜状態を示す説明図。
【図１３】リンクを組付けた状態の平面図。
【図１４】バリヤ操作部およびバリヤ操作レバーを組付けた状態の平面図。
【図１５】第２の裏当板を重ね合わせた状態の平面図。
【図１６】トグルバネを組付けた状態の平面図。
【図１７】第３の裏当板を重ね合わせた状態の平面図。
【図１８】レンズバリヤを閉じている状態のフロント筐体の斜視図。
【図１９】レンズバリヤを閉じている状態をフロント筐体の背面側から見た要部の斜視図。
【図２０】レンズバリヤを開いている状態のフロント筐体の斜視図。
【図２１】レンズバリヤを開いている状態をフロント筐体の背面側から見た要部の斜視図。
【図２２】レンズバリヤを開いている状態の平面図。
【図２３】Ａ、Ｂ、Ｃはレンズバリヤがレール溝内を移動する様子を示す説明図。
【図２４】レール溝の傾斜状態の他の実施例を示す説明図。
【図２５】従来例の斜視図。
【図２６】Ａはレンズバリヤで窓部を閉じた状態を示す説明図、Ｂは窓部を開いた状態を示す説明図。
【図２７】筐体の内面が撮像レンズの光軸に垂直な平面である場合を示す説明図。
【図２８】筐体の内面が撮像レンズの光軸に垂直な平面に対して傾斜面である場合の説明図。
【符号の説明】
【００３３】
１…撮像装置、７…撮像レンズの窓部、９…フロント筐体、１１…バリヤ操作レバー、１２…レンズバリヤ、１５…リンク、１７…トグルバネ、２１…バリヤ主部、２２〜２５…脚部、２６…リンク係合突起、３１…枠部、３２…第１のレール状突起、３３…第３のレール状突起、４２…第１のレール溝、４４…第２のレール溝。
【図１】
2008158370.tif 000003
【図２】
2008158370.tif 000004
【図３】
2008158370.tif 000005
【図４】
2008158370.tif 000006
【図５】
2008158370.tif 000007
【図６】
2008158370.tif 000008
【図７】
2008158370.tif 000009
【図８】
2008158370.tif 000010
【図９】
2008158370.tif 000011
【図１０】
2008158370.tif 000012
【図１１】
2008158370.tif 000013
【図１２】
2008158370.tif 000014
【図１３】
2008158370.tif 000015
【図１４】
2008158370.tif 000016
【図１５】
2008158370.tif 000017
【図１６】
2008158370.tif 000018
【図１７】
2008158370.tif 000019
【図１８】
2008158370.tif 000020
【図１９】
2008158370.tif 000021
【図２０】
2008158370.tif 000022
【図２１】
2008158370.tif 000023
【図２２】
2008158370.tif 000024
【図２３】
2008158370.tif 000025
【図２４】
2008158370.tif 000026
【図２５】
2008158370.tif 000027
【図２６】
2008158370.tif 000028
【図２７】
2008158370.tif 000029
【図２８】
2008158370.tif 000030